(57)【要約】【課題】簡単な構成で、操作性が良好な時計を提供する。【解決手段】時計１は、ムーブメント２０を収納する外装ケース１０と、竜頭孔１０１に挿通されて巻真４１に接続される竜頭５００と、竜頭５００を軸心方向に沿って進退自在に保持するとともに、竜頭５００と連動して回転する回転操作部６００と、竜頭５００を時計外方側に付勢するコイルばね７００と、を備えた。そして、竜頭５００は、竜頭を外装ケース１０に係脱するロック係合部５３２を備え、外装ケース１０は、竜頭５００が時計内方側に押し込まれた状態で、竜頭５００のロック係合部５３２と係脱可能な竜頭係合部１０４を備えた。【選択図】図２
2010145098.tif 000002
【特許請求の範囲】
【請求項１】
ムーブメントが内蔵されるとともに、一部に内外を連通する竜頭孔が設けられる時計ケ
ースと、前記竜頭孔に挿通され、軸心を回転中心として回転可能に設けられるとともに、
前記ムーブメントに回転力を伝達する竜頭と、を備える時計であって、
前記竜頭を軸心方向に沿って進退自在に保持し、かつ前記竜頭の周方向において、前記
竜頭と連動して回転可能な回転操作部と、
前記竜頭を当該時計の中心から離れる時計外方側に付勢する付勢手段と、を備え、
前記竜頭は、当該竜頭を前記時計ケースに係脱するロック係合部を備え、
前記時計ケースは、前記竜頭が当該時計の中心に向かう時計内方側に移動された状態で
、前記竜頭が前記周方向に沿う第一方向に回転されることで、前記ロック係合部が係合さ
れ、前記第一方向とは反対となる第二方向に回転されることで、前記ロック係合部の係合
が解除される竜頭係合部を備える
ことを特徴とする時計。
【請求項２】
請求項１に記載の時計において、
前記回転操作部は、略筒状に形成され、
筒内周面の時計内方側に設けられるとともに、前記竜頭を前記軸心に沿って進退可能に
保持し、かつ前記竜頭の外周部と係合して前記竜頭と連動して回転可能となる竜頭保持部
と、
筒内周面の時計外方側に設けられるとともに、前記竜頭を前記軸心に沿って進退可能、
かつ周方向に回転可能に開放する竜頭脱離部と、を備える
ことを特徴とする時計。
【請求項３】
請求項１または請求項２に記載の時計において、
前記回転操作部の、当該時計の中心から離隔する時計外方側に、当該回転操作部の前記
軸心に沿う移動を規制するガード部を備える
ことを特徴とする時計。
【発明の詳細な説明】
【技術分野】
【０００１】
本発明は、ムーブメントの巻真を回転させる竜頭を備えた時計に関する。
【背景技術】
【０００２】
従来、竜頭を備えた時計が知られている。このような時計では、竜頭を回転させること
で、竜頭から巻真に介してムーブメントにおける所定の駆動部に回転力が伝達され、例え
ば指針位置や日付などの各種表示情報を調整したり、ゼンマイの巻き上げを実施したりす
る。また、竜頭を引き出し状態に応じて回転力の伝達先を変え、複数の機能を調整可能な
時計や、不慮の竜頭の回転を防止するために、竜頭を引き出した状態でムーブメントに回
転力を伝達可能となる時計などが知られている（例えば、特許文献１参照）。
【０００３】
この特許文献１に記載の時計では、時計の外装ケースに雄ねじ部が形成され、竜頭にこ
の雄ネジ部に係合可能な雌ねじ部が形成されている。そして、竜頭不使用時には、竜頭の
雌ねじ部を外装ケースの雄ネジ部に螺合させて固定させることで、不慮の竜頭引き出しを
防止し、誤作動を防止する構成が採られている。
【０００４】
【特許文献１】実開昭５５−１７０６８６号公報
【発明の開示】
【発明が解決しようとする課題】
【０００５】
ところで、従来、竜頭を押し込みながら竜頭の雌ネジ部を外装ケースの雄ネジ部に係脱
させる操作により、竜頭のロック、ロック解除を実施している。このため、竜頭がロック
状態からロック解除状態に移行した際のタイミングが分かりにくいという問題があり、さ
らなる操作性の向上が望まれている。
【０００６】
本発明では、上述のような問題に鑑み、簡単な構成で、操作性が良好な時計を提供する
ことを目的とする。
【課題を解決するための手段】
【０００７】
本発明の時計は、ムーブメントが内蔵されるとともに、一部に内外を連通する竜頭孔が
設けられる時計ケースと、前記竜頭孔に挿通され、軸心を回転中心として回転可能に設け
られるとともに、前記ムーブメントに回転力を伝達する竜頭と、を備える時計であって、
前記竜頭を軸心方向に沿って進退自在に保持し、かつ前記竜頭の周方向において、前記竜
頭と連動して回転可能な回転操作部と、前記竜頭を当該時計の中心から離れる時計外方側
に付勢する付勢手段と、を備え、前記竜頭は、当該竜頭を前記時計ケースに係脱するロッ
ク係合部を備え、前記時計ケースは、前記竜頭が当該時計の中心に向かう時計内方側に移
動された状態で、前記竜頭が前記周方向に沿う第一方向に回転されることで、前記ロック
係合部が係合され、前記第一方向とは反対となる第二方向に回転されることで、前記ロッ
ク係合部の係合が解除される竜頭係合部を備えることを特徴とする。
【０００８】
この発明では、回転操作部は、竜頭を軸心方向に沿って進退自在に保持し、周方向にお
いて、前記竜頭の相対回転を規制する。したがって、竜頭を時計内方側に押し込んだ状態
で、回転操作部を回転操作することで、竜頭が連動して回転する。この時、回転操作部を
第一方向に回転させることで、ロック係合部が竜頭係合部に係合され、竜頭がロックされ
る。また、回転操作部を第二方向に回転させると、ロック係合部から竜頭係合部が外れ、
付勢手段の付勢力により、竜頭が時計外方側に弾き出される。
すなわち、回転操作部により竜頭のロック／ロック解除を操作することができ、ロック
解除した際に、例えば竜頭を指でつまむなどの操作をしていない状態では、竜頭が付勢手
段の付勢力により勢いよく押し出されるため、利用者は、竜頭のロック解除のタイミング
を容易に確認することができ、操作性を良好にすることができる。
また、竜頭を直接操作せず、回転操作部を回転することで竜頭のロック／ロック解除を
実施する従来にない新しいデザインを提供でき、意匠性も良好となる。
【０００９】
本発明の時計では、前記回転操作部は、略筒状に形成され、筒内周面の時計内方側に設
けられるとともに、前記竜頭を前記軸心に沿って進退可能に保持し、かつ前記竜頭の外周
部と係合して前記竜頭と連動して回転可能となる竜頭保持部と、筒内周面の時計外方側に
設けられるとともに、前記竜頭を前記軸心に沿って進退可能、かつ周方向に回転可能に開
放する竜頭脱離部と、を備えたことが好ましい。
【００１０】
この発明によれば、竜頭が時計内方側に押し込まれた状態では、回転操作部の竜頭保持
部と竜頭とが連動して回転可能となり、回転操作部を回転させることで竜頭のロック・ロ
ック解除が可能となる。一方、竜頭のロックが解除され、付勢手段により時計外方側に押
し出された際には、回転操作部の竜頭脱離部の位置に竜頭が位置し、回転方向に対して回
転操作部および竜頭が連動しない。これにより、回転操作部の回転状態を見ることで、竜
頭がロックされているか否かを容易に確認することが可能となる。すなわち、回転操作部
を負荷なく回転させることができる状態では、竜頭がロックされていない状態であり、回
転操作部を回転させる際に負荷が係る状態では、竜頭保持部が竜頭を保持し、竜頭が時計
ケースにロックされている状態であると確認することができる。したがって、竜頭のロッ
ク状態を、例えば竜頭の引き出し状態を見ることなく、手探りのみで確認することができ
、操作性を向上させることができる。
また、回転操作部を回転させて竜頭のロックを解除する構成では、竜頭のロックが解除
された後にさらに回転操作部を回転させると、利用者の意図しない操作が実施されるおそ
れがある。例えば、利用者が回転操作部のロック解除に気付かず、回転操作部を回し続け
た場合、竜頭が回転されることで、例えば指針が意図しない方向に回転したり、その他の
時計の調整が実施されたりし、これを修正するために煩雑な作業が発生するおそれもある
。これに対し、上記構成とすることで、竜頭のロックが解除された状態では、回転操作部
と竜頭とが連動して回転しないため、回転操作部の過剰回転による意図しない操作を防止
することができる。
【００１１】
本発明の時計では、前記回転操作部の、当該時計の中心から離隔する時計外方側に、当
該回転操作部の前記軸心に沿う移動を規制するガード部を備えることを特徴とする。
【００１２】
この発明では、ガード部により回転操作部の移動が規制される。これにより、回転操作
部の抜け止めが防止される。また、回転操作部と竜頭の突出先端部との間にガード部が配
置される新しいデザインを提供することができ、意匠性を良好にできる。
【発明を実施するための最良の形態】
【００１３】
〔第一実施形態〕
以下、本発明の第一実施形態の時計について説明する。なお、以降の説明において、既
に説明した構成と同様の構成については、同一符号を付して、説明を省略もしくは簡略化
する。
【００１４】
〔時計の基本機構〕
本実施形態の時計の基本機構に係る構成について簡略に説明する。
図１は、第一の実施の形態の時計の平面図である。図２は、第一の実施の形態の時計に
おいて、竜頭がロックされた状態における操作手段近傍の概略構成を示す縦断面図である
。図３は、第一の実施の形態の時計において、竜頭のロックが解除された状態における操
作手段近傍の概略構成を示す縦断面図である。
図１において、時計１は、略筒状の外装ケース１０と、外装ケース１０の一端面に固定
される風防１１と、風防１１を介して視認可能な文字板１２と、時刻を表示する指針１３
，１４，１５と、外装ケース１０の内部に収納され、指針１３，１４，１５を駆動するム
ーブメント２０とを備えている。また、外装ケース１０の側面には、外装ケース１０の内
外を貫通する竜頭５００を備えた操作手段３００が設けられている。
【００１５】
〔ムーブメントの構成〕
ムーブメント２０は、詳細な図は省略するが、指針１３，１４，１５を駆動させる駆動
力を供給する駆動部、駆動部から発生する駆動力を各指針１３，１４，１５に伝達させる
駆動輪列、ムーブメントの動作を制御する制御回路部を備えている。
【００１６】
駆動部としては、例えばゼンマイ、ステッピングモータなどを例示することができる。
ゼンマイを駆動源として用いる場合、ムーブメント２０は、例えば竜頭５００から伝達さ
れる回転力をゼンマイに伝達させるゼンマイ巻き上げ機構、もしくは、発電機や電池など
といった駆動電源を用い、ゼンマイの自動巻き上げを実施する巻き上げ機構などを備える
。また、ステッピングモータを動力源とする場合、ムーブメント２０は、ステッピングモ
ータに電力を供給する発電機や電池を備える。また、制御回路部には、ステッピングモー
タの回転数を制御して、指針の駆動速度を調速する調速回路などが設けられる。
【００１７】
駆動輪列は、駆動部から出力される駆動力を伝達する複数の歯車を備えている。これら
の歯車は、各指針１３，１４，１５の駆動間隔に応じて、それぞれ異なるギア比に形成さ
れている。そして、これらの歯車により、秒針１３は、１分間に１周の駆動速度で、分針
１４は、１時間に１周の駆動速度で、時針１５は、１２時間もしくは２４時間で１周の駆
動速度で運針される。
【００１８】
制御回路部は、発電機や二次電池などの電力供給源から供給される電力により駆動され
る。この制御回路部は、例えばパルス信号発生回路から出力されるクロックパルスに基づ
いて、駆動部にて発生する駆動力を制御したり、輪列の駆動状態が一定速度となるように
調速制御したりする各種回路を備えている。
【００１９】
また、ムーブメント２０は、竜頭５００に接続される巻真４１を備えている。この巻真
４１は、図２に示すように、竜頭５００に接続され、竜頭５００が引き出されている状態
で、例えばムーブメント２０内部に設けられる駆動輪列のうち、いずれか１つの番車に接
続され、指針１３，１４，１５の調整や、日車の調整が可能となる。
【００２０】
〔操作手段の構成〕
次に、外装ケース１０に設けられる操作手段３００の構成を図２および図３に基づいて
説明する。
操作手段３００は、時計１の３時方向に設けられている。そして、この操作手段３００
は、外装ケース１０に固定されるガード部４００と、外装ケース１０の内外を貫通して設
けられる竜頭５００と、竜頭を操作する回転操作部６００とを備えている。
竜頭孔１０１には、円筒状のパイプ１０３が嵌挿され、竜頭５００は、このパイプ１０
３に挿通されている。また、パイプ１０３は、竜頭孔１０１の内周面との間にパッキン６
１が設けられ、このパッキン６１により時計１の防水性が保たれている。
また、パイプ１０３の時計外方側の突出先端部の外周面には、竜頭係合部１０４が設け
られている。なお、パイプ１０３および外装ケースにより本発明の時計ケースが構成され
る。
この竜頭係合部１０４は、竜頭５００に形成される雌ネジ山を係合可能な雄ネジ山であ
り、竜頭５００が回転されることで、螺合され、竜頭５００のロック・ロック解除が可能
となる。ここで、パイプ１０３は、外装ケース１０の外周面から所定長だけ突出し、この
突出部の略中央部から時計内方側に竜頭係合部１０４が形成される。すなわち、竜頭５０
０が押し込まれた状態で、初めて竜頭係合部１０４に竜頭５００が係合可能となる。
【００２１】
ガード部４００は、図１に示すように、長手方向を有するブリッジ状に形成されている
。このガード部４００の両端足４０１は、それぞれ外装ケース１０に３時方向に形成され
る竜頭孔１０１を挟んで配置されるとともに、外装ケース１０の外周面に例えばネジ止め
などにより固定されている。なお、ガード部４００がネジ止めにより固定される例を示す
が、例えば、溶接などにより固定されていてもよく、さらには、外装ケース１０に一体形
成されている構成などとしてもよい。
そして、ガード部４００の略中央部には、外装ケース１０の外周面との間に所定隙間寸
法の操作開口４２０を介して設けられる移動規制部４１０が形成されている。また、この
移動規制部４１０には、図２に示すように、時計１の中心点から竜頭孔１０１の中心点を
結ぶ直線Ａと交差する位置に、竜頭５００が挿通可能な孔径を有する竜頭挿通孔４１１が
開口形成されている。
【００２２】
竜頭５００は、図２，３に示すように、直線Ａを回転中心軸として回転可能に、かつ軸
心方向に沿って移動可能にパイプ１０３に保持されている。
この竜頭５００は、パイプに挿通される挿通部５１０と、挿通部５１０に挿通される巻
真接続部５２０と、挿通部５１０の先端に一体形成される操作受部５３０と、操作受部５
３０の時計外方側に一体形成される操作頭部５４０と、を備えている。
【００２３】
挿通部５１０は、略円筒状に形成され、時計内方側の先端部の筒内周部に、上述のよう
に、巻真接続部５２０が挿通される。また、挿通部５１０の時計内方側先端には、内周径
寸法が狭く形成される脱離規制部５１１が形成され、巻真接続部５２０の抜け落ちを防止
する。さらに、挿通部５１０内周部には、巻真接続部５２０に固定される環状の駆動伝達
部材５１２が設けられている。この駆動伝達部材５１２は、例えばウレタンゴムなどの高
摩擦係数を有する合成ゴムにより形成され、竜頭５００が時計外方に引き出された際に、
巻真接続部５２０に接触して、竜頭５００の回転力を巻真接続部５２０に伝達する。
また、挿通部５１０は、パイプ１０３との間に、環状保持部材５１３および抜け止め部
材５１４が介装される。環状保持部材５１３は、挿通部５１０およびパイプ１０３間の防
水性を確保するとともに、挿通部５１０のガタを防止する。抜け止め部材５１４は、環状
保持部材５１３の抜け落ちを防止する。
【００２４】
巻真接続部５２０は、挿通部５１０の内周径寸法よりも小さい軸径を有する軸状に形成
されている。また、この巻真接続部５２０は、時計内方側端面に、巻真４１を接続する接
続孔５２１を備え、この接続孔５２１に巻真が嵌挿されることで、竜頭５００の回転力が
巻真４１に伝達される。なお、巻真４１の連結方法としては、接続孔５２１の断面形状を
非円形とし、この接続孔５２１の断面形状と同一断面形状を有する巻真４１の先端部を、
接続孔５２１に圧入させる。なお、巻真４１の連結方法としては、これに限定されず、例
えば、接続孔５２１をネジ穴とし、巻真４１の先端に設けられた雄ネジを螺合させる構成
など、その他の構成であってもよい。
さらに、巻真接続部５２０の時計外方側には、挿通部５１０の内周径寸法と略同一径寸
法となる駆動フランジ５２２が形成されている。この駆動フランジ５２２は、脱離規制部
５１１よりも径大に形成されて挿通部５１０からの抜け落ちを防止する。また、駆動フラ
ンジ５２２は、竜頭５００が時計外方に引き出された状態で、駆動伝達部材５１２に当接
し、駆動伝達部材５１２から摩擦力により回転力が伝達される。なお、本実施の形態にお
いて、駆動伝達部材５１２が合成ゴムにより形成され、摩擦力により駆動力が伝達される
構成を例示したが、これに限定されない。例えば、駆動伝達部材５１２の時計外方側端面
に、周方向に沿う山形凹凸面を形成し、駆動フランジ５２２の時計内方側端面に、駆動伝
達部材５１２の山形凹凸面に係合可能な凹凸面を形成する。そして、竜頭５００が時計外
方に引き出された際に、これらの凹凸面が係合することで、回転力が巻真接続部５２０に
伝達される構成としてもよい。
そして、巻真接続部５２０の時計外方側端面には、コイル設置ピン５２３が時計外方側
に突出形成されている。このコイル設置ピン５２３には、付勢手段としてのコイルばね７
００が嵌合される。このコイルばね７００は、挿通部５１０の筒内周部に、巻真接続部５
２０および操作受部５３０の間で設置され、操作受部５３０を時計外方側に付勢する。こ
れにより、竜頭５００は、時計外方側に付勢され、ロックが解除された状態で、コイルば
ね７００の付勢力により時計外方側に弾き出される。
【００２５】
操作受部５３０は、時計内方側の端面に、中心軸に沿って上記挿通部５１０が延出する
とともに、パイプ１０３の外周面に沿う内周面を有する環状凹部５３１が設けられている
。この環状凹部５３１には、軸方向に沿う中央部から時計外方側端部に亘って、パイプ１
０３に形成される竜頭係合部１０４に係合可能なロック係合部５３２が形成されている。
このロック係合部５３２は、竜頭係合部１０４の雄ネジ山に係合される雌ネジ山であり、
竜頭５００が所定の第一方向に回転されることで、竜頭係合部１０４に係合されてロック
され、竜頭５００が第一方向とは逆となる第二方向に回転されることで、竜頭係合部１０
４との係合が解除され、すなわちロック解除される。
【００２６】
また、操作受部５３０は、直線Ａに直交する外周面の断面形状が、例えば正六角形、楕
円形状、トラック形状などの非円形に形成されている。また、この操作受部５３０の断面
形状における外接円の径寸法は、ガード部４００の竜頭挿通孔４１１の内周径寸法よりも
小さく形成されており、竜頭５００が時計外方側に引き出された際に、操作受部５３０が
竜頭挿通孔４１１内を通過して引き出し可能となる。
【００２７】
操作頭部５４０は、直線Ａに直交する断面寸法が、竜頭挿通孔４１１よりも径大となる
ように形成されている。また、操作頭部５４０は、略円盤状に形成され、時計平面方向に
対するサイズの小型化が図られている。
【００２８】
回転操作部６００は、直線Ａを中心とした筒形状に形成され、この直線Ａを回転中心軸
として回転可能に保持されている。
具体的には、回転操作部６００は、パイプ１０３の外周径寸法と略同一径寸法に形成さ
れる回転保持部６１０と、回転保持部６１０の時計外方側に一体形成される操作駆動部６
２０とを備えている。
【００２９】
回転保持部６１０は、筒内周面がパイプ１０３に摺接し、外装ケース１０に回転可能に
保持されている。より具体的には、外装ケース１０の外周面には、竜頭孔１０１と同軸上
で、竜頭孔１０１よりも径大となる回転保持凹部１０２が形成されている。また、回転保
持部６１０は、時計内方側に突出し、回転保持凹部１０２と略同一径寸法に形成される円
筒形状の挿入保持部６１１を備えている。そして、回転操作部６００は、挿入保持部６１
１が、回転保持凹部１０２に係合されることで、外装ケース１０に回転可能に保持される
。
また、回転保持部６１０の内周面には、Ｃリング６１２により位置決めされる樹脂性リ
ング部材６１３が設けられている。この樹脂性リング部材６１３は、内周部がパイプ１０
３の外周面に当接することで、回転保持部６１０のガタを防止するとともに、防水性を確
保している。
【００３０】
操作駆動部６２０は、回転保持部６１０の時計外方側に一体形成されている。この操作
駆動部６２０の内周面６２１は、操作受部５３０の外周断面形状と略同一形状に形成され
ており、例えば多角形状、楕円形状、トラック形状などの非円形状に形成されている。そ
して、この操作駆動部６２０の内周部に操作受部５３０が挿通されることで、回転操作部
６００と竜頭５００とが連動して回転可能、かつ竜頭５００を軸心方向に沿って進退自在
に保持することが可能となる。
また、操作駆動部６２０の外方側端面は、ガード部４００の移動規制部４１０に僅かな
隙間寸法を開けて対向しており、これより、回転操作部６００の時計外方側への移動が規
制される。
そして、上記のような操作駆動部６２０は、ガード部４００の移動規制部４１０と外装
ケース１０との間に形成された操作開口４２０に臨んで配置される操作面６２２を備えて
おり、外部からこの操作面６２２を回動操作することで、時計操作部５１０を回動させる
。また、この操作開口４２０から臨む操作面６２２は、時計内方側から外方側に向かうに
従って、断面径寸法が小さくテーパ状に形成され、時計１の外装ケース１０から操作面６
２２、ガード部４００の移動規制部４１０に亘って、滑らかなカーブを描く曲線形状に形
成されている。
【００３１】
〔時計の操作〕
次に上記のような時計１の操作方法について、説明する。
時計１では、竜頭５００を操作することで、例えば指針１３，１４，１５の位置修正な
ど、各種時計の設定事項を調整することができる。このような竜頭５００の操作は、時計
１から竜頭を引き出した状態で実施し、竜頭５００を操作しない際には、不慮の竜頭５０
０の回転による誤操作および誤動作を防ぐため、竜頭５００をロックする。
【００３２】
竜頭５００をロックする場合には、利用者は、まず操作頭部５４０を時計内方側に押し
込みながら、回転操作部６００を第一方向に回転させる。竜頭５００が押し込まれること
で、ロック係合部５３２と竜頭係合部１０４とが係合可能な位置関係まで移動し、回転操
作部６００が第一方向に回転されることで、竜頭５００も連動して回転し、竜頭係合部１
０４の雄ネジ山にロック係合部の雌ネジ山が螺合される。これにより、図２に示すように
、竜頭５００が外装ケース１０に固定され、ロック状態（回転不可能状態）となる。この
状態では、巻真接続部５２０の駆動フランジ５２２が、挿通部５１０の駆動伝達部材５１
２から離れ、巻真接続部５２０への駆動力伝達が不可能となる。
【００３３】
一方、竜頭５００のロックを解除する場合には、利用者は回転操作部６００を第二方向
に回転させる。この回転操作部６００の回転により竜頭５００も第二方向に回転され、こ
れにより、ロック係合部５３２が竜頭係合部１０４から脱離する。この時、操作受部５３
０は、巻真接続部５２０および操作受部５３０の間に配置されるコイルばね７００により
、時計外方側に付勢されているため、図３に示すように、操作頭部５４０が時計外方側に
弾き出される。これにより、利用者は、竜頭５００のロックが解除された旨を容易に認識
可能となる。
【００３４】
このロック解除状態では、竜頭５００の移動とともに、駆動伝達部材５１２も時計外方
側に移動し、駆動伝達部材５１２が駆動フランジ５２２に当接する。これにより、回転操
作部６００を回転操作させると、竜頭５００が連動して回転し、駆動伝達部材５１２から
駆動フランジ５２２を介して巻真接続部５２０に駆動力が伝達され、巻真接続部５２０に
接続される巻真４１が回転駆動される。なお、ロック解除時において、回転操作部６００
の回転操作のみならず、竜頭５００の操作頭部５４０を回転させることでも、巻真４１に
回転力を伝達させることができる。
【００３５】
〔第一の実施の形態の作用効果〕
上述したように、上記実施の形態の時計１では、竜頭５００の操作受部５３０は、直線
Ａに直交する断面形状が非円形状に形成され、この操作受部５３０の断面形状と同一断面
形状の内周面を有する回転操作部６００が係合されている。また、外装ケース１０に挿通
されるパイプ１０３には、竜頭係合部１０４が形成され、竜頭５００の操作受部５３０に
は、この竜頭係合部１０４に係合可能なロック係合部５３２が形成されている。また、巻
真接続部５２０と操作受部５３０との間には、コイルばね７００が設けられ、操作受部５
３０は時計外方側に付勢されている。
このような時計では、竜頭５００が時計内方側に押し込まれた状態で、回転操作部６０
０を第一方向に回転させると、竜頭５００も連動して回転し、竜頭係合部１０４にロック
係合部５３２が係合されてロック状態となる。また、このロック状態で、回転操作部６０
０を第二方向に回転させると、竜頭係合部１０４からロック係合部が脱離し、コイルばね
７００の付勢力により竜頭５００が時計外方側に弾き出される。
このため、回転操作部６００を回転するだけの簡単な構成で、竜頭５００のロック／ロ
ック解除を操作することができる。また、回転操作部６００の操作のみで竜頭５００のロ
ックが解除できるため、竜頭５００に手を触れない状態でロック解除を実施すると、コイ
ルばね７００の付勢力により竜頭５００が時計外方側に勢いよく弾き出され、利用者は、
ロック解除のタイミングを容易に認識することができる。すなわち、従来の竜頭ロックの
ように、竜頭を操作してロック／ロック解除を実施する場合、例えば付勢手段により竜頭
が付勢されている場合であっても、手で竜頭を操作しているため、ロックが解除された感
触を実感できず、どのタイミングでロック解除されたか認識することが困難となる。この
場合、ロック解除を認識せずに、竜頭を回し続けると、例えば利用者の意図しない指針の
調整が実施されるなどの不都合があり、この場合、再度指針を調整しなおすなど煩雑な作
業が伴う。これに対して、本実施の形態の時計１では、上記のように、ロック解除タイミ
ングが容易に認識することができるため、上記のような利用者の意図しない操作が防止で
き操作性をより良好にすることができる。
また、操作頭部５４０が回転操作部６００の外方に配置される新しい時計デザインを提
供することができ、意匠性を向上させることができる。
【００３６】
また、ガード部４００は、長手状に形成され、長手方向の両端足４０１が外装ケース１
０に固定されている。そして、ガード部４００の中央部に移動規制部４１０が形成され、
この移動規制部４１０と外装ケース１０との間に操作開口４２０が形成され、操作開口４
２０に回転操作部６００が配置されている。このため、簡単な構成でガード部４００によ
る回転操作部６００の移動規制を実施でき、回転操作部６００の抜け落ちやガタを防止す
ることができる。
【００３７】
さらに、回転操作部６００の操作駆動部６２０は、略筒状に形成され、筒内周面６２１
における断面形状が、操作受部５３０の断面形状と同一である非円形状に形成され、この
操作駆動部６２０の筒内周部に操作受部５３０が挿通されている。このため、操作受部５
３０を操作駆動部６２０に挿通させるだけの簡単な構成で、時計操作部５１０を軸心方向
に沿って進退移動可能、かつ、時計操作部５１０と回転操作部とを連動させて、軸心を回
転中心軸として回転可能に保持することができる。
【００３８】
また、回転操作部６００の操作面６２２は、時計内方側から外方側に向かうに従って、
断面径寸法が小さくテーパ状に形成されている。このため、外観上の意匠性を向上させる
ことができるとともに、回転操作部６００の操作感を向上させることができる。
【００３９】
さらに、回転操作部６００の回転保持部６１０には、Ｃリング６１２により位置決めさ
れる樹脂性リング部材６１３が設けられている。また、操作頭部５４０とパイプ１０３の
間にも同様に、抜け止め部材５１４により抜け落ちが防止される環状保持部材５１３が設
けられている。このため、回転操作部６００の直線Ａに直交する方向へのガタ、および竜
頭５００の直線Ａに直交する方向へのガタを良好に防止することができ、操作性をより向
上させることができる。
【００４０】
また、操作頭部５４０が略円盤状に形成されているため、時計平面方向のサイズの抑え
ることができる。この場合でも、回転操作部６００を操作することで、竜頭５００を回転
させることができるため、良好な操作性が維持することができる。
【００４１】
〔第二の実施の形態〕
次に、本発明に係る第二の実施の形態の時計１Ａについて説明する。
図４は、第二の実施の形態の時計の平面図である。図５は、第二の実施の形態の時計に
おいて、竜頭がロックされた状態における操作手段近傍の概略構成を示す縦断面図である
。図６は、第二の実施の形態の時計において、竜頭のロックが解除された状態における操
作手段近傍の概略構成を示す縦断面図である。
【００４２】
第一の実施の形態では、竜頭５００がロックされた状態、およびロックが解除された状
態の双方において、回転操作部６００の回転により竜頭５００が回転される構成を例示し
た。この構成では、竜頭５００のロックが解除されたタイミングで、竜頭５００が時計外
方に飛び出すため、竜頭５００の位置を確認することで、または竜頭５００の飛び出し音
を確認することで、ロック解除を確認することができる。しかしながら、例えば、利用者
が時計１を見ていない状況、竜頭５００の飛び出し音が聞こえない状況において、竜頭５
００のロックが解除された場合、回転操作部６００がさらに回転されることで、竜頭５０
０もさらに回動し、利用者が意図しない時計の調整が実施される場合がある。このような
場合、再び回転操作部６００または竜頭５００を逆回転させる必要があるなど、煩雑な作
業が伴う。
第二の実施の形態では、上記のような問題を解決する構成を提供する時計であり、第一
の実施の形態の竜頭５００および回転操作部６００に改良が加えられている。
【００４３】
第二の実施の形態の竜頭５００Ａは、挿通部５１０と、巻真接続部５２０と、操作受部
５３０と、操作頭部５４０Ａとを備えている。挿通部５１０、巻真接続部５２０、および
操作受部５３０は、第一の実施の形態の竜頭５００と同様の構成である。
この竜頭５００Ａでは、図４ないし図６に示すように、操作頭部５４０Ａが略円柱状に
形成され、外周面に沿って竜頭操作面５４１が形成される。この竜頭５００Ａでは、利用
者が操作頭部５４０Ａをつまみ回転させることで、竜頭５００Ａを容易に回転させること
が可能となる。
【００４４】
回転操作部６００Ａは、回転保持部６１０と、回転保持部６１０の時計外方側に一体形
成される操作駆動部６２０Ａとを備えている。回転保持部６１０の構成については、第一
の実施の形態の時計１における回転操作部６００と同一構成であるため、ここでの説明を
省略する。
【００４５】
操作駆動部６２０Ａは、略筒状に形成され、筒内周面における時計内方側には、操作受
部５３０の外周断面形状と略同一形状に形成され、操作受部５３０を挿通して保持可能な
竜頭保持部６２３が形成されている。一方、操作駆動部６２０Ａの筒内周面における時計
外方側には、操作受部の外周断面形状の仮想外接円よりも径大となる断面円形状に形成さ
れる竜頭脱離部６２４が設けられている。
ここで、竜頭５００Ａの操作受部５３０の外周断面形状および竜頭保持部６２３の内周
断面形状としては、例えば正多角形状など、中心点に対して点対象となる形状に形成され
ていることが好ましい。このような点対象形状の場合、竜頭５００Ａが時計内方側に押し
込まれた際に、操作受部５３０および竜頭保持部６２３が噛み合わず、操作受部５３０を
竜頭保持部６２３内に挿通できなかった場合でも、竜頭５００Ａまたは回転操作部６００
Ａを僅かに回転させるだけで、操作受部５３０の外周面と、竜頭保持部６２３の内周面と
の位置を合わせる補正を実施することができ、操作受部５３０を竜頭保持部６２３に挿通
させることが可能となる。
【００４６】
〔時計の操作〕
上述のような第二の実施の形態の時計１Ａは、第一の実施の形態と同様に、竜頭５００
Ａを時計外方側に引き出した状態で、時計の各種設定事項を調整し、竜頭５００Ａを時計
内方側に押し込みロックすることで、不慮の竜頭５００Ａの回転を防止する。
【００４７】
竜頭５００Ａをロックする場合には、利用者は、まず操作頭部５４０Ａを時計内方側に
押し込みながら、回転操作部６００Ａまたは操作頭部５４０Ａを僅かに回転させる。これ
により、竜頭保持部６２３に操作受部５３０が挿通し、回転操作部６００Ａと竜頭５００
Ａとが連動して回転可能となる。
この後、竜頭５００Ａを押圧しながら、回転操作部６００Ａを第一方向に回転させる。
竜頭５００Ａを押し込むことで、ロック係合部５３２と竜頭係合部１０４とが係合可能な
位置関係まで移動し、回転操作部６００Ａが第一方向に回転されることで、竜頭係合部１
０４の雄ネジ山にロック係合部の雌ネジ山が螺合される。これにより、図５に示すように
、竜頭５００Ａが外装ケース１０に固定され、ロック状態（回転不可能状態）となる。こ
の状態では、巻真接続部５２０の駆動フランジ５２２が、挿通部５１０の駆動伝達部材５
１２から離れ、巻真接続部５２０への駆動力伝達が不可能となる。
【００４８】
一方、竜頭５００Ａのロックを解除する場合には、利用者は回転操作部６００Ａを第二
方向に回転させる。この回転操作部６００Ａの回転により竜頭５００Ａも第二方向に回転
され、これにより、ロック係合部５３２が竜頭係合部１０４から脱離する。この時、操作
受部５３０は、巻真接続部５２０および操作受部５３０の間に配置されるコイルばね７０
０により、時計外方側に付勢されているため、図６に示すように、操作頭部５４０Ａが時
計外方側に弾き出される。これにより、利用者は、竜頭５００Ａのロックが解除された旨
を容易に認識可能となる。
また、竜頭５００Ａのロックが解除された状態では、操作受部５３０が竜頭保持部６２
３から脱離し、竜頭脱離部６２４側に移動する。この竜頭脱離部６２４は、内周径寸法が
操作受部５３０の外周断面の仮想外接円の径寸法より大きく形成されるため、竜頭５００
Ａと回転操作部６００Ａとが連動しない。したがって、巻真４１に回転力を伝達させるた
めには、操作頭部５４０Ａを回転させる。
【００４９】
〔第二の実施の形態の作用効果〕
上記のような第二の実施の形態の時計１Ａでは、回転操作部６００Ａは、操作駆動部６
２０Ａの内周面における時計内方側に操作受部５３０を進退自在に保持し、かつ内周形状
が操作受部５３０の外周断面形状と同一形状に形成される竜頭保持部６２３を備えている
。また、回転操作部６００Ａは、操作駆動部６２０Ａの内周面における時計外方側に操作
受部５３０の外周断面形状の仮想外接円より径大となる円形状の竜頭脱離部６２４を備え
ている。
このため、竜頭５００Ａのロック操作時では、竜頭５００Ａを押し込むことで操作受部
５３０Ａが竜頭保持部６２３に係合され、回転操作部６００Ａと竜頭５００Ａとが連動し
て回転可能となる。したがって、上記第一の実施の形態と同様に、竜頭５００Ａを時計内
方側に押し込みながら回転操作部６００Ａを第一方向に回転させるだけで、容易に竜頭５
００Ａをロックすることができる。
また、竜頭５００Ａのロックを解除する際には、回転操作部６００Ａを第二方向に回転
させることで、コイルばね７００の付勢力により竜頭５００Ａが時計外方に弾き出される
。これにより、第一の実施の形態と同様、利用者は、ロック解除のタイミングを容易に認
識することができる。
また、ロックが解除された際、操作受部５３０が竜頭脱離部６２４側に移動することで
、回転操作部６００Ａを回転させた場合でも、その回転力が竜頭５００Ａに伝達されない
。したがって、回転操作部６００Ａを操作した際の負荷力が小さくなるため、利用者は、
ロック解除のタイミングを操作感（負荷力）によっても、容易に認識することが可能とな
る。
さらに、竜頭５００Ａのロックが解除された状態で、回転操作部６００Ａを回転させた
場合でも、竜頭５００Ａにその回転力が伝達されないため、例えば利用者が竜頭５００Ａ
のロック解除に気付かなかった場合でも、竜頭５００Ａの回転による時計の調整操作が実
施されることがなく、誤操作を防止でき、このような誤操作に伴う修正作業も不要となる
ため、操作性を向上させることができる。
【００５０】
そして、竜頭５００Ａの操作受部５３０の外周面の断面形状、および回転操作部６００
Ａの操作駆動部６２０Ａは、例えば正多角形など、中心軸に対して点対象となる非円形状
に形成されている。
このため、竜頭５００Ａのロック時、竜頭５００Ａを時計内方側に押し込んだ際に、操
作受部５３０が竜頭保持部６２３内に挿通されなかった場合でも、僅かに竜頭５００Ａま
たは回転操作部６００Ａを回転させるだけで、操作受部５３０を竜頭保持部６２３に挿通
させることができる。したがって、操作性が悪化することなく、利用者は、容易に竜頭５
００Ａをロックする作業を実施することができる。
【００５１】
［他の実施の形態］
なお、本発明は前述の実施形態に限定されるものではなく、本発明の目的を達成できる
範囲での変形、改良等は本発明に含まれるものである。
【００５２】
例えば、竜頭５００，５００Ａとして、複数段に引き出し可能であり、それぞれの引き
出し状態に応じて、竜頭５００，５００Ａの回転操作時における駆動伝達先を変更する構
成としてもよい。この場合、例えば、竜頭５００，５００Ａを一段階引き出した場合には
、分針１４を調整し、二段階引き出した場合には、日車を回転させて表示日付を調整する
などといった操作が可能となる。
【００５３】
また、パイプ１０３の外周面に竜頭係合部１０４を設け、竜頭５００の環状凹部５３１
の内周面にロック係合部５３２を設ける構成としたが、これに限定されない。例えば、竜
頭５００，５００Ａの操作受部５３０を、回転操作部６００を貫通して外装ケース１０に
設けられる凹部に係合可能な構成とし、この外装ケースの凹部内周面に竜頭係合部、操作
受部５３０の外周面にロック係合部を設ける構成などとしてもよい。さらには、外装ケー
ス１０の竜頭孔１０１にパイプ１０３が挿通される構成としたが、例えば、パイプ１０３
と外装ケース１０とが一体形成される構成としてもよい。
【００５４】
さらに、竜頭５００の移動により、巻真接続部５２０の駆動フランジ５２２と、挿通部
５１０に内周部に固定される駆動伝達部材５１２とが係脱され、これにより、駆動力が巻
真４１に伝達される状態と伝達されない状態とを切替る構成を例示したが、これに限定さ
れない。例えば、挿通部５１０の先端に巻真接続部５２０が固定され、巻真４１自身が軸
方向に沿って移動可能な構成としてもよい。このような構成では、竜頭５００および巻真
４１が引き出され状態で、巻真４１が所定の駆動伝達先に接続可能となる構成とすること
で、上記実施の形態と同様の効果を奏することができる。
【００５５】
また、上記第一および第二の実施の形態において、付勢手段としてコイルばね７００を
例示したが、これに限定されず、例えば合成樹脂性の弾性部材を設ける構成などとしても
よい。
【００５６】
そして、上記第一の実施の形態において、回転操作部６００は、略筒状に形成され、筒
内周部において、時計操作部５１０の操作受部５３０に係合する構成としたがこれに限定
されない。例えば、操作受部５３０を円筒状または円柱状に形成し、外周面に歯車を形成
する。そして、回転操作部は、操作受部５３０の時計上面側（風防側）に設けられ、操作
受部５３０の歯車に噛合可能な歯車形状に形成される構成としてもよい。このような構成
でも、回転操作部を回転させることで、竜頭５００を回転駆動させることが可能となる。
また、この時、回転操作部を操作開口４２０の時計内方側に配置し、時計外方側を開け
ることで、第二の実施の形態の時計１Ａと同様の作用効果を得ることができる。
【００５７】
その他、本発明の実施の際の具体的な構造および手順は、本発明の目的を達成できる範
囲で他の構造などに適宜変更できる。
【図面の簡単な説明】
【００５８】
【図１】本発明の第一の実施の形態の時計の平面図である。
【図２】第一の実施の形態の時計の操作手段近傍において、竜頭がロックされた状態を示す縦断面図である。
【図３】第一の実施の形態の時計の操作手段近傍において、竜頭のロックが解除された状態を示す縦断面図である。
【図４】本発明の第二の実施の形態の時計の平面図である。
【図５】第二の実施の形態の時計の操作手段近傍において、竜頭がロックされた状態を示す縦断面図である。
【図６】第二の実施の形態の時計の操作手段近傍において、竜頭のロックが解除された状態を示す縦断面図である。
【符号の説明】
【００５９】
１，１Ａ…時計、１０…外装ケース、２０…ムーブメント、１０１…竜頭孔、１０４…
竜頭係合部、４００…ガード部、５００，５００Ａ…竜頭、５３２…ロック係合部、６０
０…回転操作部、６２３…竜頭保持部、６２４…竜頭脱離部、７００…付勢手段としての
コイルばね。
【図１】
2010145098.tif 000003
【図２】
2010145098.tif 000004
【図３】
2010145098.tif 000005
【図４】
2010145098.tif 000006
【図５】
2010145098.tif 000007
【図６】
2010145098.tif 000008